(57)【要約】【課題】撮像装置において、光軸方向の長さを短くし、小型化が可能な構成とする。【解決手段】撮像装置において、被写体を撮像する撮像素子と、前記撮像素子を搭載する第１基板と、前記第１基板よりも光軸方向前方に配置されており、第１開口部を有する第２基板と、レンズを保持するレンズ鏡筒と、を備え、前記撮像素子は、前記レンズ及び前記第１開口部を通過した光を受光する構成とする。【選択図】図５
2019078986.tif 000002
【特許請求の範囲】
【請求項１】
被写体を撮像する撮像素子と、
前記撮像素子を搭載する第１基板と、
前記第１基板よりも光軸方向前方に配置されており、第１開口部を有する第２基板と、
レンズと、を備え、
前記撮像素子は、前記レンズ及び前記第１開口部を通過した光を受光する、
撮像装置。
【請求項２】
前記第１開口部は、前記レンズを通過した光のうち、前記撮像素子で受光する有効範囲の光が通過するよう縁部が形成されている、
請求項１に記載の撮像装置。
【請求項３】
前記第１開口部が矩形状である、
請求項１または請求項２に記載の撮像装置。
【請求項４】
前記第１基板と前記第２基板との間に配置され、第２開口部を有するシールド板をさらに備える、
請求項１から請求項３のいずれか１項に記載の撮像装置。
【請求項５】
前記シールド板は、前記第１基板及び前記第２基板と当接するとともに前記第１基板及び前記第２基板に対して付勢力を与える板ばね部を有する、
請求項４に記載の撮像装置。
【請求項６】
前記板ばね部は、前記第１基板及び前記第２基板に光軸方向の付勢力を与える、
請求項５に記載の撮像装置。
【請求項７】
前記シールド板の面は、反射防止の表面処理が施されている、
請求項４から請求項６のいずれか１項に記載の撮像装置。
【請求項８】
前記シールド板の光軸方向前方の面に反射防止の表面処理が施されている、
請求項７に記載の撮像装置。
【請求項９】
前記第２開口部は、前記第１開口部よりも小さい、
請求項４から請求項８のいずれか１項に記載の撮像装置。
【発明の詳細な説明】
【技術分野】
【０００１】
本発明の一態様は、撮像装置等に関する。
【背景技術】
【０００２】
従来から、レンズを保持するレンズ鏡筒と、撮像素子が搭載された基板とがケースに収容された撮像装置が広く採用されており、自動車などにも搭載されてきている。このような撮像装置に関連する従来技術として、特許文献１及び特許文献２に記載された装置などが開示されている。
【先行技術文献】
【特許文献】
【０００３】
【特許文献１】特開２０１１−１６４４６１号公報
【特許文献２】特開２０１１−２５９１０１号公報
【発明の概要】
【発明が解決しようとする課題】
【０００４】
近年、自動車や監視カメラなど、種々の機器において撮像装置が採用されている。このような機器では、撮像装置の配置スペースに厳しい制限がある場合があり、小型化に対する要求がある。また、撮像装置を小型化すると、電子部品が互いに近接して配置されることとなるため、従来以上に電磁ノイズ対策が重要となる。また、撮像装置から発せられる電磁ノイズが他の装置に影響を与えることを防止するためにも、電磁ノイズ対策が必要となっている。
【課題を解決するための手段】
【０００５】
本発明は、上記の課題などを解決するために次のような手段を採る。なお、以下の説明において、発明の理解を容易にするために図面中の符号等を括弧書きで付記するが、本発明の各構成要素はこれらの付記したものに限定されるものではなく、当業者が技術的に理解しうる範囲にまで広く解釈されるべきものである。
【０００６】
本発明の一の手段は、
被写体を撮像する撮像素子（５１１）と、
前記撮像素子を搭載する第１基板（５１）と、
前記第１基板よりも光軸方向前方に配置されており、第１開口部（５２ａ）を有する第２基板（５２）と、
レンズと、を備え、
前記撮像素子（５１１）は、前記レンズ及び前記第１開口部（５２ａ）を通過した光を受光する、
撮像装置である。
【０００７】
上記構成の撮像装置によれば、撮像素子を搭載した第１基板とレンズとの間に、撮像素子を搭載しない第２基板を配置しているため、第１基板の光軸方向後方に第２基板を配置する構成と比較して、光軸方向の長さ（厚さ）を短くした撮像装置を構成することができる。
【０００８】
上記撮像装置において、好ましくは、
前記第１開口部（５２ａ）は、前記レンズを通過した光のうち、前記撮像素子で受光する有効範囲の光が通過するよう縁部が形成されている。
【０００９】
上記構成の撮像装置によれば、撮像素子で撮像する被写体からの光が第１開口部で遮蔽されてしまうことを防止することができる。これにより、被写体全体をクリアに撮像することが可能となる。
【００１０】
上記撮像装置において、好ましくは、
前記第１開口部（５２ａ）が矩形状である。
【００１１】
上記構成の撮像装置によれば、例えば、第１開口部が、矩形状の撮像領域に合わせた光を過不足無く通過させる構成にすることができる。
【００１２】
上記撮像装置において、好ましくは、
前記第１基板と前記第２基板との間に配置され、第２開口部（６１ａ、６２ａ）を有するシールド板（６１、６２）をさらに備える。
【００１３】
上記構成の撮像装置によれば、シールド板によって、第１基板及び第２基板の一方から他方に向かって発せられる電磁ノイズを遮蔽し、電磁ノイズによって第１基板及び第２基板の適切な動作に不具合が生じることを抑制することが可能となる。
【００１４】
上記撮像装置において、好ましくは、
前記シールド板（６１、６２）は、前記第１基板及び前記第２基板と当接するとともに前記第１基板及び前記第２基板に対して付勢力を与える板ばね部（６１ｂ、６１ｃ、６２ｂ、６２ｃ）を有する。
【００１５】
上記構成の撮像装置によれば、板ばね部から与えられる付勢力によって、第１基板及び第２基板の位置を安定させた構成にすることができる。
【００１６】
上記撮像装置において、好ましくは、
前記板ばね部（６１ｂ、６１ｃ、６２ｂ、６２ｃ）は、前記第１基板及び前記第２基板に光軸方向の付勢力を与える。
【００１７】
上記構成の撮像装置によれば、板ばね部によって第１基板と第２基板とが互いに離れる方向に付勢する構成となるため、第１基板及び第２基板の位置を安定させた構成にすることができる。
【００１８】
上記撮像装置において、好ましくは、
前記シールド板（６２）の面は、反射防止の表面処理が施されている。
【００１９】
上記構成の撮像装置によれば、シールド板が光を反射することを抑制することができ、シールド板の光の反射により撮像結果に対して発生するゴーストなどを抑制する構成にすることができる。
【００２０】
上記撮像装置において、好ましくは、
前記シールド板の光軸方向前方の面に反射防止の表面処理が施されている。
【００２１】
上記構成の撮像装置によれば、不具合の原因となりやすい被写体側からの光がシールド板の面で反射することを抑制することができ、ゴーストなどの発生を抑制した構成とすることができる。
【００２２】
上記撮像装置において、好ましくは、
前記第２開口部（６２ａ）は、前記第１開口部（５２ａ）よりも小さい。
【００２３】
上記構成の撮像装置によれば、第２開口部で撮像に不要な光を遮蔽することができるため、ゴーストなどの発生をより効果的に抑制した構成とすることができる。
【図面の簡単な説明】
【００２４】
【図１】図１は、実施形態１の撮像装置をフロント側から見た外観斜視図である。
【図２】図２は、実施形態１の撮像装置をリア側から見た外観斜視図である。
【図３】図３は、実施形態１の撮像装置をフロント側から見た分解斜視図である。
【図４】図４は、実施形態１の撮像装置をリア側から見た分解斜視図である。
【図５】図５は、実施形態１の撮像装置の断面図である。
【図６】図６は、実施形態２の撮像装置をフロント側から見た分解斜視図である。
【図７】図７は、実施形態２の撮像装置をリア側から見た分解斜視図である。
【図８】図８は、実施形態２の撮像装置の断面図である。
【図９】図９は、シールド板の拡大図である。
【図１０】図１０は、実施形態３の撮像装置をフロント側から見た分解斜視図である。
【図１１】図１１は、実施形態３の撮像装置をリア側から見た分解斜視図である。
【図１２】図１２は、実施形態３の撮像装置の断面図である。
【図１３】図１３は、実施形態３の撮像装置の断面図において、開口部近傍を拡大した図である。
【発明を実施するための形態】
【００２５】
本発明の撮像装置は、第１基板及び第２基板の２つの基板を有する構成において、撮像素子を搭載した第１基板とレンズとの間に第２基板を配置し、これによって光軸方向の長さを短くした構成としている点を特徴のひとつとしている。本発明の具体的な構成例としての実施形態について、以下の構成にしたがって説明する。ただし、以下で説明する実施形態はあくまで本発明の一例にすぎず、本発明の技術的範囲を限定的に解釈させるものではない。なお、各図面において、同一の構成要素には同一の符号を付しており、その説明を省略する場合がある。
１．実施形態１
２．実施形態２
３．実施形態３
４．本発明の特徴
５．補足事項
【００２６】
なお、本明細書では、撮像装置に搭載されたレンズの中心位置であって、撮像素子に入射する光の中心位置を「光軸」と称する。レンズに対して撮像素子とは反対側に位置する撮像対象を「被写体」と称する。撮像素子に対して被写体が位置する方向を「フロント側」または「光軸方向前方」と称し、被写体に対して撮像素子が位置する方向を「リア側」または「光軸方向後方」と称する。
【００２７】
＜１．実施形態１＞
本発明の実施形態１について、図１〜図５を参照しながら説明する。図１及び図２は撮像装置の外観図であって、図１はフロント側、図２はリア側から見た図である。図３及び図４は撮像装置の分解斜視図であって、図３はフロント側、図４はリア側から見た図である。図５は、撮像装置の断面図である。
【００２８】
図示されるように、本実施形態の撮像装置は、レンズ鏡筒１、防水シール２、フロントケース３、防水シール４、第１基板５１、第２基板５２、シールド板６、及びリアケース７を含んで構成される。
【００２９】
＜フロントケース３＞
フロントケース３は、リアケース７と共に撮像装置の筐体（ケース）を形成する部材であって、金属または樹脂などで形成される。フロントケース３は、光軸方向前方に、光軸を中心とする開口部を有する。フロントケース３の光軸方向後方は、リアケース７と連結可能に開放されており、光軸を覆うように略矩形状の周面を有している。フロントケース３とリアケース７とが連結されることで、レンズ鏡筒１、第１基板５１、第２基板５２、及びシールド板６などを収容する内部空間が形成される。図１に示されるように、フロントケース３の光軸方向前方の開口部では、レンズ鏡筒１が保持される。フロントケース３とレンズ鏡筒１との間には、防水シール２が配置される。
【００３０】
＜リアケース７＞
リアケース７は、上記のように、フロントケース３と連結されることで、レンズ鏡筒１、第１基板５１、第２基板５２、及びシールド板６などを収容する空間を形成する。リアケース７の光軸方向前方は、フロントケース３の光軸方向後方と略同形状であり、組立状態では、連結具８３によってフロントケース３と連結される。リアケース７とフロントケース３との間には、防水シール４が配置される。
【００３１】
リアケース７は、光軸方向後方に、第１基板５１のコネクタ５１２を外部機器と連結するためのコネクタ部７４を有する。コネクタ部７４は、光軸方向後方に向かって筒状に突出している。
【００３２】
＜レンズ鏡筒１＞
レンズ鏡筒１は、レンズを含む１以上の光学部材を保持し、光軸方向に伸びる円筒状の部材である。レンズ鏡筒１に保持される光学部材には、１以上のレンズの他に、スペーサ、口径板、及び光学フィルタなどが含まれる。レンズは、ガラスまたはプラスチック等の透過性を有する素材で形成され、光軸方向前方からの光を屈折させながら光軸方向後方に透過させる。スペーサは、光軸方向に適度な厚みを有する板状で円環状の部材であり、各レンズの光軸方向の位置を調整する。スペーサは、光軸を含む中心部に開口部を有する。口径板は、通過する光の最外位置を決める。光学フィルタは、所定の波長の光を抑制または遮蔽する。光学フィルタは、例えば、通過する赤外線を抑制する赤外線カットフィルタなどが含まれる。これらの光学部材の数及び種類は、任意に変更可能である。
【００３３】
＜防水シール２＞
防水シール２は、ゴムなどの弾性部材により形成された円環状の部材であって、フロントケース３とレンズ鏡筒１との間に配置されることで、フロントケース３とレンズ鏡筒１とを隙間無く連結させるよう作用する。防水シール２は、フロントケース３の開口部の外縁の位置に沿った円環状となっている。
【００３４】
＜防水シール４＞
防水シール４は、ゴムなどの弾性部材により形成された矩形状の部材であって、フロントケース３とリアケース７との間に配置されることで、フロントケース３とリアケース７とを隙間無く連結させるよう作用する。防水シール４は、フロントケース３の光軸方向後方の矩形状の開放部分、及びリアケース７の光軸方向前方の矩形状の開放部分に沿った矩形状に形成される。
【００３５】
なお、フロントケース３の光軸方向後方の開放部分、リアケース７の光軸方向前方の開放部分、及び防水シール４の形状は、いずれも矩形状に限定されるものではなく、円状であっても良いし多角形状などであっても良い。
【００３６】
＜第１基板５１＞
第１基板５１は、撮像素子５１１が搭載されたリジッド基板である。第１基板５１には、撮像素子５１１以外の電子部品が搭載されてもよい。第１基板５１の光軸方向後方の面には、コネクタ５１２が搭載される。第１基板５１の光軸方向前方の面には撮像素子５１１が搭載されているため、撮像時に撮像素子５１１に光が照射されるよう、第１基板５１は光軸に垂直な平面に沿って配置される。撮像素子５１１には、レンズ鏡筒１のレンズ等、及び第２基板５２の開口部５２ａを通過した光が照射される。第１基板５１と第２基板５２とは、フレキシブル基板５３を介して電気的に接続される。フレキシブル基板５３は、可撓性を有する基板であって、第１基板５１と第２基板５２とを電気的に接続する。撮像素子５１１により取得された電気信号は、第１基板５１及び第２基板５２に搭載された電子部品により所定の電気処理または信号処理が施された後、コネクタ５１２からリアケース７のコネクタ部７４を介して、撮像装置の外部に画像データとして出力される。第１基板５１は、複数の連結具８１によって、フロントケース３と連結されて位置固定される。
【００３７】
＜撮像素子５１１＞
撮像素子５１１は、照射された光を電気信号に変換する光電変換素子であり、例えばＣ−ＭＯＳセンサやＣＣＤなどであるが、これらに限定されるものではない。撮像素子５１１は、第２基板５２の開口部５２ａを通過した光を受光する。なお、撮像装置においては、撮像素子５１１以外の撮像機能を要する撮像部を採用してもよい。
【００３８】
＜第２基板５２＞
第２基板５２は、電子部品を搭載したリジッド基板である。第２基板５２は、第１基板５１と同様、光軸に水平な平面に沿って配置される。つまり、第１基板５１と第２基板５２とは、互いに平行に配置される。第２基板５２は、第１基板５１よりも、光軸方向前方に配置されている。つまり、第２基板５２は、第１基板５１とレンズ鏡筒１との間に配置される。
【００３９】
第２基板５２は、光軸を中心とする位置に、矩形状の開口部５２ａを有する。開口部５２ａには、レンズ鏡筒１のレンズ等を通過した光が通過する。開口部５２ａは、撮像素子５１１が受光して撮像する、有効範囲の光が通過するよう縁部が形成されている。撮像素子５１１により撮像されない光は、開口部５２ａにより遮蔽されてもよいし、そのまま開口部５２ａを通過してもよい。なお、開口部５２ａは、本発明の「第１開口部」の一具体例である。
【００４０】
＜シールド板６＞
シールド板６は、導電性を有する金属などの板状の部材により形成される。シールド板６は、第１基板５１よりも光軸方向後方に配置される。つまり、シールド板６は、第１基板５１とリアケース７との間に配置される。シールド板６は、板ばね部６ａ、６ｂ、及び６ｃを有する。板ばね部６ａは、リアケース７に対して、シールド板６から離れる方向に向かう付勢力を与える。つまり、板ばね部６ａによって、リアケース７とシールド板６とが互いに離れる方向に付勢される。板ばね部６ｂ、及び６ｃは、リアケース７に対して、第１基板５１から離れる方向に向かう付勢力を与える。つまり、板ばね部６ｂ、及び６ｃによって、第１基板５１とシールド板６とが互いに離れる方向に付勢される。シールド板６は、複数の連結具８２によって、リアケース７と連結されて位置固定される。
【００４１】
シールド板６は、接地電位に電気的に接続されることが好ましい。例えば、シールド板６の板ばね部６ｂ及び６ｃは、第１基板５１及び第２基板５２の少なくとも一方の接地電位のパターンに接触し、これによってシールド板６の全体が接地電位となるような構成としてもよい。
【００４２】
＜２．実施形態２＞
次に、本発明の実施形態２について、図６〜図９を参照しながら説明する。本実施形態の撮像装置は、実施形態１の撮像装置と比較して、シールド板６を有する構成としている点で相違する。以下の説明では、本実施形態が実施形態１に対して異なる点を中心に説明し、実施形態１と同様の内容についてはその説明を省略する。
【００４３】
図６及び図７は本実施形態の撮像装置の分解斜視図であって、図６はフロント側、図７はリア側から見た図である。これらの図６及び図７は、実施形態１の図３及び図４にそれぞれ対応する。図８は、本実施形態の撮像装置の断面図である。図９は、シールド板６の三面図である。
【００４４】
図示されるように、本実施形態の撮像装置は、レンズ鏡筒１、防水シール２、フロントケース３、防水シール４、第１基板５１、第２基板５２、シールド板６、及びリアケース７に加え、シールド板６１をさらに含んで構成される。
【００４５】
＜シールド板６１＞
シールド板６１は、シールド板６と同様に、導電性を有する金属などの板状の部材により形成される。図８に示されるように、シールド板６１は、第１基板５１の光軸方向前方であって、第２基板５２の光軸方向後方に配置される。つまり、シールド板６１は、第１基板５１と第２基板５２との間に配置される。シールド板６１は、光軸を中心とする位置に、矩形状の開口部６１ａを有する。開口部６１ａは、撮像素子５１１が受光して撮像する、有効範囲の光が通過するよう縁部が形成されている。開口部６１ａは、本発明の「第２開口部」の一具体例である。
【００４６】
主に図９に示されるように、シールド板６１は、板ばね部６１ｂ及び６１ｃを有する。板バネ６１ｂは、矩形状のシールド板６１の対角線上となる角部に形成されている。板バネ６１ｃは、矩形状のシールド板６１の対角線上であって、板バネ６１ｂが形成されていない角部に形成されている。板ばね部６１ｂは、シールド板６１の板状部分から光軸方向後方に突出し、第１基板５１の光軸方向前方の面に当接する。板ばね部６１ｃは、シールド板６１の板状部分から光軸方向前方に突出し、第２基板５２の光軸方向前方の面に当接する。つまり、板ばね部６１ｂは第１基板５１に対して光軸方向後方に向かう付勢力を与え、板ばね部６１ｃは第２基板５２に対して光軸方向前方に向かう付勢力を与える。このように、シールド板６１の板ばね部６１ｂ及び６１ｃが第１基板５１及び第２基板５２に対して光軸方向の付勢力を与える構成とすることで、第１基板５１、第２基板５２、及びシールド板６１の位置が安定している。
【００４７】
＜３．実施形態３＞
次に、本発明の実施形態３について、図１０〜図１４を参照しながら説明する。本実施形態の撮像装置は、実施形態２の撮像装置と比較して、シールド板６１がシールド板６２に置き換えられている点で相違する。以下の説明では、本実施形態が実施形態２に対して異なる点を中心に説明し、実施形態１または２と同様の内容についてはその説明を省略する。
【００４８】
図１０及び図１１は本実施形態の撮像装置の分解斜視図であって、図１０はフロント側、図１１はリア側から見た図である。これらの図１０及び図１１は、実施形態２の図６及び図７にそれぞれ対応する。図１２は、本実施形態の撮像装置の断面図である。図１３は、図１２において開口部５２ａの近傍を拡大した図である。
【００４９】
図示されるように、本実施形態の撮像装置は、レンズ鏡筒１、防水シール２、フロントケース３、防水シール４、第１基板５１、第２基板５２、シールド板６、リアケース７、及びシールド板６２を含んで構成される。
【００５０】
＜シールド板６２＞
シールド板６２は、実施形態２のシールド板６１と比較して、開口部６１ａよりも小さい開口部６２ａを有する点と、反射防止の表面処理が施されている点で相違する。シールド板６２は、実施形態２のシールド板６１の板ばね部６１ｂ及び６１ｃに対応する、板ばね部６２ｂ及び６２ｃを有する。開口部６２ａは、本発明の「第２開口部」の一具体例である。
【００５１】
シールド板６２は、シールド板６１と同様に、開口部６２ａを有する板状の金属部材である。シールド板６２の両面には、光の反射を防止する表面処理が施されている。この表面処理は、例えば、黒色に塗装したり、黒アルマイト加工処理を施したりする方法で行われる。また、シールド板６２の開口部６２ａを形成する端面に反射防止の表面処理を施してもよい。
【００５２】
なお、上記の例ではシールド板６２の両面に反射防止の表面処理が施されているが、いずれか一方の面にのみ、反射防止の表面処理が施されていてもよい。例えば、光軸方向前方の面（第２基板５２側の面）にのみ、反射防止の表面処理を施した場合、光軸方向前方側の面に照射された光の反射を抑制することができる。
【００５３】
図１３に示されるように、被写体側からレンズ鏡筒１のレンズ等を透過してきた光が第２基板５２の開口部５２ａを通過しようとする際、開口部５２ａの縁部に反射することがある。シールド板６２の開口部６２ａは、このような反射光を遮蔽するため、実施形態２のシールド板６１の開口部６１ａよりも小さく形成されている。つまり、開口部６２ａは、開口部５２ａの縁部で反射した光の少なくとも一部を遮蔽するよう形成されている。
【００５４】
＜４．本発明の特徴＞
上記実施形態で示した具体的構成を含む本発明は、以下のような特徴を有する。
【００５５】
本発明の撮像装置は、第１基板５１よりも光軸方向前方に配置された第２基板５２が開口部５２ａを有し、撮像素子５１１が、レンズ鏡筒１のレンズ等と、開口部５２ａとを通過した光を受光する構成としている。この構成により、本発明の撮像装置は、第１基板５１の光軸方向後方に第２基板５２を配置する構成と比較して、光軸方向の長さ（厚さ）を短くした構成にすることができている。
【００５６】
また、本発明の撮像装置は、開口部５２ａの縁部が、レンズ鏡筒１のレンズ等を透過した光のうち、撮像素子５１１で受光される有効範囲の光が通過するよう形成されている。この構成により、本発明の撮像装置は、撮像素子５１１で撮像する被写体からの光が、開口部５２ａで遮蔽されてしまうことを防止することができる。これにより、被写体全体をクリアに撮像することを可能にしている。
【００５７】
また、本発明の撮像装置は、開口部５２ａが矩形状であるため、例えば、矩形状の撮像領域に合わせた光を過不足無く通過させる構成にすることができる構成となっている
【００５８】
また、本発明の撮像装置は、第１基板５１と第２基板５２との間に、開口部６１ａまたは６２ａを有するシールド板６１または６２を備える構成としている。この構成により、第１基板５１及び第２基板５２の一方から他方に向かって発せられる電磁ノイズを遮蔽し、電磁ノイズによって第１基板５１及び第２基板５２の適切な動作に不具合が生じることを抑制することを可能にしている。
【００５９】
また、本発明の撮像装置は、シールド板６１または６２が、板ばね部６１ｂ及び６１ｃ、または６２ｂ及び６２ｃを有する構成としている。この構成により、シールド板６１または６２が第１基板５１及び第２基板５２に対して付勢力を与えることとなり、第１基板５１及び第２基板５２の位置を安定させることができている。
【００６０】
また、本発明の撮像装置は、シールド板６１または６２の板ばね部６１ｂ及び６１ｃ、または６２ｂ及び６２ｃが、第１基板５１及び第２基板５２に対して、光軸方向の付勢力を与える構成としている。この構成により、第１基板５１と第２基板５２とが互いに離れる方向に付勢する構成となるため、第１基板５１及び第２基板５２の位置を安定させた構成にすることができる。
【００６１】
また、本発明の撮像装置は、シールド板６２の少なくとも一方の面に、反射防止の表面処理が施された構成としている。この構成により、シールド板６２が光を反射することを抑制することができ、シールド板６２の光の反射により撮像結果に対して発生するゴーストなどを抑制する構成となっている。
【００６２】
特に、上記構成において、シールド板６２の光軸方向前方の面に、反射防止の表面処理を施す構成とすることが好ましい。このような構成によれば、不具合の原因となりやすい被写体側からの光がシールド板６２の面で反射することを抑制することができ、ゴーストなどの発生を抑制した構成とすることができる。
【００６３】
また、本発明の撮像装置では、第２基板５２の開口部５２ａよりも、シールド板６２の開口部６２ａの方が小さい構成としている。この構成に寄れば、シールド板６２の開口部６２ａで撮像に不要な光を遮蔽することができるため、ゴーストなどの発生をより効果的に抑制した構成とすることができる。
【００６４】
＜５．補足事項＞
以上、本発明の実施形態、及び本発明の構成における特徴についての説明を行った。上記説明では、あくまで本発明の一例の説明であって、本発明の範囲は上記内容に留まらず、各実施形態の記載の内容に基づいて当業者が把握可能な範囲にまで広く解釈されるものである。
【００６５】
例えば、実施形態では、フロントケース３とリアケース７とを有する構成であったが、筐体部分を構成するケースを有する構成であれば当該構成に限定されるものではない。また、ケースを不要とする構成では、フロントケース３及びリアケース７は必須の構成ではない。
【００６６】
また、実施形態の構成では、第１基板５１及び第２基板５２の２枚のリジッド基板を有する構成について説明したが、さらに追加のリジッド基板を有する構成を採用してもよい。この場合において、追加のリジッド基板は、第１基板５１の光軸方向後方に配置されてもよいし、第１基板５１より光軸方向前方に配置され、開口部を有する構成としてもよい。また、これらの基板は、リジッド基板に代えて、フレキシブル基板により構成されてもよい。
【００６７】
また、第２基板５２の両面または片面に反射防止の表面処理を施してもよい。また、第２基板５２の開口部５２ａを形成する端面に反射防止の表面処理を施してもよい。このように、第２基板５２に反射防止の表面処理をすることで、第２基板５２での光の反射を抑制することができ、ゴースト等の発生をさらに抑制することができる。
【００６８】
また、実施形態の開口部５２ａ（本発明の第１開口部に対応）及び開口部６１ａ（本発明の第２開口部）は、それぞれ第２基板５２及びシールド板６１の縁部から内側に向かって形成された切欠き状の部分であってもよい。この場合、第２基板５２及びシールド板６１は、それぞれ、Ｕ字状、またはＬ字状になる場合がある。なお、本発明における「開口部」は、当該切欠き状の部分をも含む。
【００６９】
また、実施形態における開口部５２ａ及び開口部６１ａは、いずれも矩形状に限定されるものではなく、必要な領域に光が通過可能な開口を有する円状、楕円状、または多角形状であってもよい。
【００７０】
また、第２基板５２は、第１基板５１とレンズ鏡筒１との間ではなく、第１基板５１よりも光軸方向前方の任意の場所に配置されてもよい。つまり、第１基板５１と第２基板５２との間に、レンズやその他の構成が挟まれるよう配置されてもよい。
【産業上の利用可能性】
【００７１】
本発明は、車載用の撮像装置などとして好適に利用される。
【符号の説明】
【００７２】
１…レンズ鏡筒
２…防水シール
３…フロントケース
４…防水シール
５１…第１基板
５１１…撮像素子
５１２…コネクタ
５２…第２基板
５２ａ…開口部
５３…フレキシブル基板
６…シールド板
６ａ、６ｂ、６ｃ…板ばね部
６１、６２…シールド板
６１ａ、６２ａ…開口部
６１ｂ、６１ｃ、６２ｂ、６２ｃ…板ばね部
７…リアケース
７４…コネクタ部
８１、８２、８３…連結具
【図１】
2019078986.tif 000003
【図２】
2019078986.tif 000004
【図３】
2019078986.tif 000005
【図４】
2019078986.tif 000006
【図５】
2019078986.tif 000007
【図６】
2019078986.tif 000008
【図７】
2019078986.tif 000009
【図８】
2019078986.tif 000010
【図９】
2019078986.tif 000011
【図１０】
2019078986.tif 000012
【図１１】
2019078986.tif 000013
【図１２】
2019078986.tif 000014
【図１３】
2019078986.tif 000015